(57)【要約】【課題】カートリッジに関する過去のメンテナンス情報を、後のメンテナンス作業の適格性の判断に利用可能とするカートリッジの支持装置を提供する。【解決手段】カートリッジ支持装置は、カートリッジのメンテナンス履歴情報を入力する入力部を備える。カートリッジ支持装置でカートリッジのメンテナンスが行われ（Ｓ５１６）、メンテナンス履歴が書き込まれる（Ｓ５２０）。【選択図】図５
2008270850.tif 000002
【特許請求の範囲】
【請求項１】
テープ化電子部品送り装置を支持して該テープ化電子部品送り装置のメンテナンスを行う、メンテナンス用テープ化電子部品送り装置の支持装置であって、
前記テープ化電子部品送り装置のメンテナンス履歴情報を入力する入力部を備えたことを特徴とするメンテナンス用テープ化電子部品送り装置の支持装置。
【請求項２】
請求項１に記載のメンテナンス用テープ化電子部品送り装置の支持装置であって、
前記テープ化電子部品送り装置に記憶されたメンテナンス要因に関するテープ化電子部品の動作回数のカウンタ値のリセットが、前記入力部から入力された前記メンテナンス履歴情報の書き込みに連動して行われることを特徴とするメンテナンス用テープ化電子部品送り装置の支持装置。
【請求項３】
請求項２に記載のメンテナンス用テープ化電子部品送り装置の支持装置であって、
前記テープ化電子部品送り装置には複数のメンテナンス要因各々に対応する複数の前記カウンタ値が記憶されており、
前記カウンタ値のリセットが、メンテナンス作業に対応した前期複数のカウンタ値のいずれかのカウンタ値について行われることを特徴とするメンテナンス用テープ化電子部品送り装置の支持装置。
【請求項４】
請求項１ないし３に記載のメンテナンス用テープ化電子部品送り装置の支持装置であって、
前記入力部より入力されたメンテナンス履歴情報を、テープ化電子部品送り装置の送受信部に対して送信する通信ポートを備えたことを特徴とするメンテナンス用テープ化電子部品送り装置の支持装置。
【発明の詳細な説明】
【技術分野】
【０００１】  本発明は、電子部品実装装置に電子部品を供給するテープ化電子部品送り装置のメンテナンス作業を行う為に、テープ化電子部品送り装置を支持する、メンテナンス用テープ化電子部品送り装置の支持装置に関するものである。
【背景技術】
【０００２】  従来、供給手段に搭載している電子部品や供給した電子部品の情報を記憶する機能をその供給手段に設けた電子部品実装装置が、特開平９−２１４１８３号公報に開示されている。この例では、供給手段のＩＰＣメモリに、セットされているテーピング部品の部品名称、部品数量、特性の情報を記憶しており、テーピング部品が変更された場合には、ＩＰＣメモリ内の情報も変更する必要がある。【０００３】  一方、特開２０００−２０８９８７号公報には、供給手段の使用寿命、保守点検などの時期を知らせる機能を有する部品実装装置が開示されている。すなわち、制御装置で制御される生産情報を伝送するＲ／Ｗヘッド部により生産情報を書き込むように、供給手段に設けられた記憶部としてのＩＰＣメモリを備えた部品実装装置において、供給手段から部品が供給された回数の累計をそのＩＰＣメモリに記憶するようにしたものが開示されている。
【特許文献１】特開平９−２１４１８３号公報
【特許文献２】特開平２０００−２０８９８７号公報
【発明の開示】
【発明が解決しようとする課題】
【０００４】  部品装着機の稼働率を大きく左右する要因にはテープ化電子部品送り装置（又は、カートリッジと称する）の動作精度が挙げられる。この動作精度を絶えず正常状態に維持する為には「定期的なメンテナンス」と「必要に応じたメンテナンス」が必要である。例えば、「定期的なメンテナンス」としては、テープ化電子部品の送り回数に基づくものが考えられる。すなわち、テープ化電子部品を送り動作させた場合、テープ部の削れ等による、塵、埃、がカートリッジ内部に堆積、動作機構部に付着し動作に支障をきたす。動作回数に比例した塵、埃が堆積するので定期的に塵、埃の除去メンテナンスが必要である。換言すると、動作回数が多い程、潤滑油の消耗が激しく、機械的摩擦抵抗の増加が考えられる。そのため、定期的なグリスアップ等のメンテナンスが必要である。【０００５】  しかしながら、現状のカートリッジの使用状況を見ると、どちらのメンテナンスも行われない事が多い。その要因としては、カートリッジのユーザーが、通常、カートリッジを多数保有していることが多い為、それらの管理が難しく、従って、定期的なメンテナンスが困難なことにあると考えられる。また、メンテナンスすべきカートリッジを特定するには専門知識の有る作業者でないと判断できず、必要に応じたメンテナンスも困難であると考えられる。【０００６】  ユーザーにメンテナンス時期を知らせるために、前記特開２０００−２０８９８７号公報に記載のものでは、カートリッジの使用回数、すなわち部品が吸着される回数によって、カートリッジのメンテナンス時期を判断している。【０００７】  また、カートリッジのメンテナンスにおいては、メンテナンスの時期だけでなくメンテナンス作業の適格性も判断できることが望ましい。しかしその場合、カートリッジの使用回数のみでは、カートリッジに関する過去のメンテナンス情報が把握できない為、後のメンテナンス作業の適格性を判断することが困難であると考えられる。【０００８】  本発明は上記の点に鑑みてなされたものであり、カートリッジに関する過去のメンテナンス情報を、後のメンテナンス作業の適格性の判断に利用可能とするメンテナンス用テープ化電子部品送り装置の支持装置を提供することを目的とする。
【課題を解決するための手段】
【０００９】  請求項１に係る発明の特徴は、テープ化電子部品送り装置を支持して該テープ化電子部品送り装置のメンテナンスを行う、メンテナンス用テープ化電子部品送り装置の支持装置であって、前記テープ化電子部品送り装置のメンテナンス履歴情報を入力する入力部を備えたことにある。
請求項２に係る発明の特徴は、請求項１に記載のメンテナンス用テープ化電子部品送り装置の支持装置であって、前記テープ化電子部品送り装置に記憶されたメンテナンス要因に関するテープ化電子部品の動作回数のカウンタ値のリセットが、前記入力部から入力された前記メンテナンス履歴情報の書き込みに連動して行われることにある。
請求項３に係る発明の特徴は、請求項２に記載のメンテナンス用テープ化電子部品送り装置の支持装置であって、前記テープ化電子部品送り装置には複数のメンテナンス要因各々に対応する複数の前記カウンタ値が記憶されており、前記カウンタ値のリセットが、メンテナンス作業に対応した前期複数のカウンタ値のいずれかのカウンタ値について行われることにある。
請求項４に係る発明の特徴は、請求項１ないし３に記載のメンテナンス用テープ化電子部品送り装置の支持装置であって、前記入力部より入力されたメンテナンス履歴情報を、テープ化電子部品送り装置の送受信部に対して送信する通信ポートを備えたことにある。
【発明の効果】
【００１０】  請求項１に係る発明によれば、メンテナンス用テープ化電子部品送り装置の支持装置がテープ化電子部品送り装置のメンテナンス履歴情報を入力する入力部を備えているので、入力されたメンテナンス履歴情報を利用して、後のメンテナンス作業の適格性を判断することができる。その上、メンテナンス用テープ化電子部品送り装置の支持装置にてテープ化電子部品送り装置のメンテナンスを行うとともに、その場ですぐにメンテナンス履歴情報を入力することができる。
請求項２に係る発明によれば、メンテナンス要因に関するカウンタ値のリセットが、メンテナンス用テープ化電子部品送り装置の支持装置の入力部から入力されたメンテナンス履歴情報の書き込みに連動して行われるので、カウンタ値のリセットを確実に行うことができる。
請求項３に係る発明によれば、メンテナンス作業に対応したカウンタ値についてリセットが行われることから、テープ化電子部品送り装置に複数のメンテナンス要因各々に対応する複数のカウンタ値が記憶されている場合でも、確実にメンテナンス作業に対応したカウンタ値のリセットを行うことができる。
請求項４に係る発明によれば、メンテナンス用テープ化電子部品送り装置の支持装置がテープ化電子部品送り装置の送受信部に対して送信する通信ポートを備えているので、メンテナンス用テープ化電子部品送り装置の支持装置から入力されたメンテナンス履歴情報をテープ化電子部品送り装置に容易に書き込むことができる。
【発明を実施するための最良の形態】
【００１１】  以下、本発明の実施例を説明する。まず、図１〜図４により本発明の一実施例になる記憶機能付き電子部品パッケージを装着したテープ化電子部品送り装置と電子部品組み立て機の構成を説明する。図１は、本発明の実施例が適用される電子部品組み立て機の要部を示す外観図である。図２は、本発明の一実施例になるテープ化電子部品送り装置（以下、カートリッジ）の側面図である。また、図３は、図１の電子部品組み立て機における制御装置の機能を示すブロック図であり、図４は、図２のカートリッジに設けられた制御装置の機能を示すブロック図である。【００１２】  図１において、複数のカートリッジ１００が、電子部品組み立て機１１０の支持台（部品供給部）に搭載される。各カートリッジ１００には、リールタイプのパッケージとしてのテープリール１６が載置される。電子部品組み立て機１１０には、部品装着ヘッド１１５を保持したＸレール１１１と、このＸレール１１１を保持したＹレール１１２と、Ｘ方向駆動手段（図示せず）、及びＹ方向駆動手段（図示せず）によって、部品装着ヘッド１１５をＸＹ方向に移動させるヘッド移動手段が構成されている。また、基板１１４を搬送する基板搬送コンベア１１３を備えている。これにより、部品装着ヘッド１１５は、ＸＹ平面上を移動自在であり、各カートリッジ１００の部品取出し位置と基板１１４との間を移動することによって、電子部品を基板１１４上に移送して装着する。【００１３】  また、電子部品組み立て機１１０側には、入力部１２２及び表示部１２３（図３参照）を兼ねたタッチパネル式のディスプレイ１１６が設けられている。【００１４】  図２及び図４に示したように、カートリッジ１００は、テーピングされた電子部品の巻装されたテープリール１６と、この電子部品を吸着位置１へ送るテープ送り駆動部５と、この電子部品を順次１個ずつ吸着位置１に供給するスプロケット２と、フィルム回収駆動部７及び制御基板１５上の演算処理部（ＣＰＵ）２２を中心とした制御部を備えている。【００１５】  カートリッジ１００は、また、「定期的なメンテナンス」と「必要に応じたメンテナンス」に関する情報を生成するための情報源として、フィルム回収駆動監視部（テンション監視センサ）８、を備えている。さらに、脱着検出部１７、テープ送り駆動監視部（リンク棒動作監視センサ）１９、表示パネル（ＬＥＤ）あるいは警告ランプ等で構成された表示器２０、カウンタリセット部（ＳＷ）２１、書き換え可能な記憶素子ＥＰＲＯＭやＥＥＰＲＯＭ等からなる記憶部２３、及び送受信部（通信ポート）２９を備えている。カートリッジ１００の制御部により、「定期的なメンテナンス」と「必要に応じたメンテナンス」に関する情報が生成される。送受信部２９は、電子部品組み立て機１２０のカートリッジ送受信部１２５との間で必要な情報の送受信を行う。【００１６】  「定期的なメンテナンス」の時期には、テープ化電子部品の送り回数や段取り替えを行った回数に基づくものがある。また、「必要に応じたメンテナンス」の時期の判断要因としては、カートリッジを単体で移動させた場合に発生する予期せぬ不具合の累積回数などが想定される。さらに、カートリッジの送り動作が正常にできなかった回数や、カートリッジ自体の送り動作ではなく物理的な問題が発生した場合も挙げられる。【００１７】  電子部品組み立て機１１０による部品組み立て作業の動作中、カートリッジ１００の制御基板１５で制御されるテープ送り駆動部５（第１のモーター）が矢印６の方向に回転されると、このモーターの軸についているカム２８が回転し、リンク棒２４が矢印４方向に動作する。このリンク棒２４の先端にラチェット１８があり、スプロケット２を矢印３方向に回転させ、テープリール１６に巻装されたテープを矢印１４方向へ送る。【００１８】  この時、フィルム回収駆動部７を構成する第２のモーター（巻き取りモーター）により、テーピングされた電子部品のフィルム２５を巻き取り、フィルム収納箱１３へ収納する。フィルム回収駆動部７の巻き取りモーターが矢印１０方向に回転すると、フィルム巻き取りギヤ１２によってフィルム２５は矢印方向１１に巻き取られる。フィルム２５のテンションはテンションバー２７の軸２６を支点にして矢印９方向に働く力によって保つ事が可能である。【００１９】  テンションバー２７のテンションは、フィルム回収駆動監視部８を構成するテンション監視センサによって監視され、制御基板１５上のＣＰＵ２２によって一括管理されている。【００２０】  電子部品は、スプロケット２の上部に示した矢印１の吸着位置（部品取出し位置）において、電子部品組み立て機１１０の部品装着ヘッド１１５により吸着される。【００２１】  図３に示したように、複数の電子部品組み立て機１２０（ライン１２０Ａ〜１２０Ｎ）が、通信ネットワークを介してホストコンピュータ（電子部品組み立て機制御サーバー）２００に接続され、統括制御される。各電子部品組み立て機１２０は、制御部１２１、入力部１２２、表示部１２３、通信部１２４、カートリッジ送受信部１２５、記憶部１２６及び生産実行部１２７を備えている。【００２２】  制御部１２１は、電子部品組み立て機１２０における基板１１４の搬送やカートリッジ１００から基板１１４への電子部品の実装も制御する。【００２３】  なお、各電子部品組み立て機１２０の上記構成は、たとえば、ＣＰＵやメモリ、プログラムおよび入出力手段などを備えたコンピュータと、このコンピュータの制御出力により制御される各種アクチュエーターなどによって、実現される。【００２４】  通信部１２４は、通信ネットワークを介してホストコンピュータ２００等との通信を制御する。すなわち、ホストコンピュータ２００から送信された新規の「生産作業プログラム」を受信したり、ホストコンピュータ２００での生産状況集中管理のために、電子部品組み立て機１２０の稼動状況情報をホストへ送信したりする。【００２５】  記憶部１２６には、電子部品の組み立てに必要なプログラムやデータが記憶される。生産実行部１２７は、基板の搬入搬出と、搬入された基板に対して部品の実装を行う、生産装置の機構部分である。【００２６】  カートリッジ送受信部１２５は、電子部品組み立て機１２０とカートリッジ１００の制御基板１５との間の制御情報の送受信を行う。また、カートリッジ１００の制御基板１５がメンテナンス作業要の警告を行ったとき、メンテナンス作業が必要となる要因をカ���トリッジの記憶部２３から読み出して、電子部品組み立て機１２０のディスプレイ１１６に表示させることができる。【００２７】  本発明では、「定期的なメンテナンス」と「必要に応じたメンテナンス」に関する情報源としての、テンション監視センサ８やリンク棒動作監視センサ１９によって、実際にカートリッジが動作したか確認できる。カートリッジ１００の制御部のＣＰＵ２２は、制御司令を出し、これらのセンサの情報に基づいて、実際にカートリッジが動作したかの動作確認を行う。これらのセンサは、電子部品組み立て機１１０の実動作回数を監視する為にも使われる。すべての動作情報、センサ情報は、制御基板１５上のＣＰＵ２２によって管理され、必要なデータはすべて書き換え可能な記憶素子２３へ記憶される。【００２８】  テープカートリッジの記憶素子２３には、例えば、各メンテナンス要因の検出回数と、メンテナンス作業を行った履歴が記憶される。ＣＰＵ２２は、監視結果に基づき、メンテナンス時期の報告機能を実行する。カートリッジに設けられた操作パネル上２０の表示器に、さらには必要に応じて電子部品組み立て機１２０の表示部１２３に、メンテナンスに関する必要情報を表示する事が可能である。例えば、次のような場合に、表示器にメンテナンス時期等の必要情報を表示する。【００２９】  （１）テープ化電子部品の送り回数の管理
カートリッジ内部に設けられた内部記憶素子（ＥＰＲＯＭやＥＥＰＲＯＭ等）２３には、カートリッジのメンテナンスすべき箇所、例えばスプロケット部、第１、第２のモーター、ラチェット等、の動作回数をカウントし記憶させる。全ての動作回数を記憶することは記憶素子２３の寿命を短くする原因になるので、任意の回数を動作した場合にのみ記憶素子２３に書込みを行うのが良い。この記憶素子２３は電源が切れても内容は記憶している。記憶された値が任意の値に達した場合、カートリッジの表示パネル２０にある表示器にその結果を表示させ、顧客は“カートリッジのメンテナンスが必要である“と判断することができる。以降、メンテナンスが行われるまで、電源が投入できる環境であればいつでもそのカートリッジを識別できる。【００３０】  （２）段取り替えを行った回数の管理
カートリッジには挿抜を判断できる脱着検出器１７が搭載されている。この検出器１７で挿抜を検知した回数をカウントし内部記憶素子２３に記憶させる。この記憶素子２３は電源が切れても内容は記憶している。記憶された値が任意の値に達した場合、カートリッジの表示パネルにある表示器２０にその結果を表示させ、顧客は“メンテナンスが必要である“と判断ができる。以降、メンテナンスが行われるまで、電源が投入できる環境であればいつでもそのカートリッジを識別できる。【００３１】  （３）カートリッジの送り動作が正常に行なわれなかった回数（自己判断機能）の管理
カートリッジの内部には、一連の動作を管理するＣＰＵ２２と動作検出器８、１９）が搭載されている。ＣＰＵ２２は所定の基準に基づく判断により、正常でない動作を行ったと自ら判断した回数をカウントし内部記憶素子２３に記憶させる。この記憶素子は電源が切れても内容は記憶している。記憶された値が任意の値に達した場合、カートリッジの表示パネルにある表示器２０にその結果を表示させ、顧客は“メンテナンスが必要である“と判断ができる。以降、メンテナンスが行われるまで、電源が投入できる環境であればいつでもそのカートリッジを識別できる。【００３２】  （４）カートリッジ自体の送り動作ではなく、物理的な問題の管理
カートリッジ１００を“ぶつける“、”落とす“等によって部品送り精度に狂いが発生した場合等、自らの判断では検知できない事でも、外部の検出器等で判断した不具合を通信ポート２９から、対象のカートリッジの記憶素子２３に記憶させる。外部の検出器とは、カートリッジから部品を吸着する機械や画像処理機能付のカートリッジ調整装置などが挙げられる。この記憶素子２３は電源が切れても内容は記憶している。電源投入されるとカートリッジ１００の表示パネル２０にある表示器にその結果を表示させ、顧客は“メンテナンスが必要である“と判断ができる。以降、メンテナンスが行われるまで、電源が投入できる環境であればいつでもそのカートリッジを識別できる。【００３３】  上記（１）〜（４）の管理は、個々に行うこともできるが、一括して管理するのが良い。この場合の実施例として、図５のフローチャート及び図６のテーブルにより、「定期的なメンテナンス」と「必要に応じたメンテナンス」に関する情報の、生成、表示、警告の動作を説明する。【００３４】  最初に、メンテナンス要因（Ａ〜Ｘ）と、各メンテナンス要因の警告回数等の警告条件を設定する（Ｓ５０２）。これらの設定は、電子部品組み立て機１２０のディスプレイ１１６を介して電子部品組み立て機１２０のオペレーターが行い、その設定値は、テープカートリッジの記憶素子２３に記録される、また、記憶部１２６にも同じデータが保持される。【００３５】  テープカートリッジの記憶素子２３に記録される保持メンテナンス要因（Ａ〜Ｘ）と、各メンテナンス要因の警告条件の関係を与えるデータの一例を、図６のテーブルに示す。この例では、次のようなメンテナンス要因と警告条件が設定されている。
（１）「テープ送り動作」の回数
警告回数＝１００００回
これは、テープ送り動作の回数が、１００００回に達したら、そのカートリッジの状態の如何にかかわらず、メンテナンス時期になったものとして警告を発するものである。【００３６】  （２）「段取り替え」の回数
例えば、カートリッジを単体で移動させた場合に発生する予期せぬ不具合を想定し、「段取り替え」の回数が２０に達したら不具合の発生が高くなるとして、警告を発する。【００３７】  （３）「テープ送りの異常動作」の回数
これは、各カートリッジに備えられた検出手段によって検出される。「テープ送りの異常動作」の回数が２０に達したら不具合の発生頻度が高いとして、警告を発する。【００３８】  （４）「吸着ミス」の回数
テープ送り量が不正確で部品が正規の吸着位置に正しく位置付けられていないとき、又は、潤滑油の不足による不規則なテープ送り動作によってパーツの飛び出しが発生したとき、等に生ずる現象であり、その検出は、電子部品組み立て機本体において、ノズルに部品が吸着しているか否かをセンサ等の検出手段で検出することによって行う。電子部品組み立て機本体は、吸着ミスを検出すると、その情報を吸着ミスの発生したカートリッジ１００に送信する。そのカートリッジは通信ポート２９によってこれを受信し、記憶素子２３に記憶する。「吸着ミス」の回数が１０に達したらそのカートリッジは不具合の発生が高くなるとして、警告を発する。【００３９】  （５）異常動作の相乗作用に基づく警告
上記異常動作あるいはその可能性を示すメンテナンス要因（２）〜（４）の個々検出項目は警告回数に到達しない状態であっても、特定のカートリッジにおいてこれら複数の検出項目がある程度の回数になること、換言すると種々の異常動作が頻発することは、そのカートリッジ１００に何らかの異常性のある可能性があると考えられる。そこで、「（２）〜（４）の合計」のように、各検出項目の累計値が所定値に到達したときは、個別の値が警告回数に到達していなくてもそのカートリッジは不具合の発生が高くなるとして、メンテナンス時期の警告を発する。この例では、「（２）〜（４）の合計」が３０に達したら不具合の発生が高くなるとして、警告を発する。【００４０】  なお、実施例では、単純にメンテナンス要因（２）〜（４）の合計としたが、各メンテナンス要因に重み付けをして、それらの累計値が所定値に達したか否かで判断するようにしても良い。また、メンテナンス要因（１）の「テープ送り動作の回数」のような経時的要素と、異常動作の要素とに夫々重み付けを行い、それらの累計値が所定値に達したか否かでそのカートリッジは不具合の発生が高くなると判断するようにしても良い。各検出項目と所定値の関係を予め関数で定義しておけば、カートリッジの種々の使用条件にも対処できる。【００４１】  図５のフローチャートに戻って、最初にカートリッジがセットされるとカウンタリセット部（ＳＷ）２１によりリセット操作がなされることにより、記憶素子２３に保持されたメンテナンス要因の各カウンタ値がリセットされる（Ｓ５０４）。次に、電子部品の巻装されたテープリール１６がカートリッジ１００に装填され、電子部品組み立て機１１０による部品組み立て作業が行われる。そして、部品組み立て作業中、カートリッジあるいは電子部品組み立て機本体により、検出項目の何れかからの動作もしくは異常が検出されたら、該当項目のカウントアップを行う（Ｓ５０６）。【００４２】  例えば、監視センサ８、１９から発信されるテープ送り動作検出信号（又はテープ送り異常動作検出信号）、検出器１７から発信されるカートリッジ脱着検出信号、部品実装機から送信される吸着ミス検出信号の何れかを受けて、ＣＰＵ２２は増加する検出項目を判断し、記憶素子２３に追記する。このカウントアップは、テープリール１６が順次新たなものに交換されカートリッジ１００に装填されても、継続して行われる。【００４３】  次に、各カウント値と各メンテナンス要因の警告条件として設定された所定値とを比較し（Ｓ５０８）、いずれかが所定値に達したらそのカートリッジは不具合の発生が高くなるとして、メンテナンス時期の警告を行う（Ｓ５１０）。すなわち、検出項目が警告回数に到達したときにカートリッジの表示器２０を点灯させ、メンテナンスの必要なカートリッジをユーザーに知らせる。各カウント値が所定値に達していなくても、異常動作の相乗作用に基づく警告条件として設定された所定値とを比較し（Ｓ５１２）、いずれかが所定値に達したら表示器２０を点灯させることでメンテナンス時期の警告を行う（Ｓ５１０）。いずれも所定値に達していなければ、該当項目のカウントアップの処理に戻る（Ｓ５０６）。【００４４】  さらに、メンテナン��原因を表示する（Ｓ５１４）。すなわち、電子部品組み立て機のオペレータが入力部（タッチパネル）を操作して、メンテナンス原因の表示を求めると、カートリッジ１００のメモリ２３からメンテナンスが必要となった原因（検出項目）を読み出して、表示部のディスプレイ１１６に表示する。これにより、ユーザーはメンテナンスが必要となった原因を知るとともに、原因別に具体的なメンテナンス作業が記載されたマニュアル本を見る等により、カートリッジのメンテナンス作業を行う（Ｓ５１６）。【００４５】  上記カートリッジのメンテナンス作業（Ｓ５１６）を行う場合の具体例を、以下において説明する。
（１）「テープ送り動作」が原因のとき
テープ化電子部品を送り動作させた場合、テープ部の削れ等による、塵、埃、がカートリッジ内部に堆積、動作機構部に付着し動作に支障をきたす。動作回数に比例した塵、埃が堆積するので、定期的に塵、埃の除去メンテナンスが必要である。動作回数が多い程、潤滑油の消耗が激しく、機械的摩擦抵抗の増加が考えられる。定期的なグリスアップ等のメンテナンスが必要である。【００４６】  （２）「段取り替え」が原因のとき
段取り替え時のカートリッジの挿抜時、電極部が摩耗する。頻繁に段取り替えを行う環境の場合、カートリッジの電極部の交換が必要になる。定期的に電極部の目視チェックを行い必要に応じて部品交換のメンテナンスが必要である。段取り替えが頻繁に行われると、作業者の扱い次第で、“ぶつける”、“落とす”が考えられる。この場合、実際の動作には影響ない微小な動作精度の狂いが発生する。この微小な狂いが部品送り動作に支障を来す前にメンテナンスを行い、その狂いを修正させる必要がある。【００４７】  （３）「テープ送りの異常動作」
ラチェット１８、リンク棒２４等のテープ送り駆動機構部に異常がある可能性が高いので、その部分のメンテナンスを行う。【００４８】  （４）「吸着ミス」が原因のとき
テープのピッチ送りが適正でないと吸着ミスの原因になるので、テープ送り駆動機構部のメンテナンスは必要。また、フィルム２５の巻き取り動作が適正でないと、部品がポケット内で立ち上がって吸着不良を引き起こすことがあるので、フィルムの巻き取り駆動部のメンテナンスも必要である。【００４９】  なお、マニュアル本に記載された情報をメーカーから電子データとして提供してもらい、メンテナンス原因と必要な作業内容の関係を示すサポート情報として、予め、制御部の記憶部１２６等に記録しておき、オペレータからの要求に応じてこのサポート情報をディスプレイに表示するようにしても良い。この場合、メンテナンスの原因はわかっているので、原因に応じて必要なサポート情報を自動的に読み出して表示させても良い。【００５０】  次に、そのカートリッジは再使用可能か判断する（Ｓ５１８）。これは、マニュアル本等を見て、あるいは、上記サポート情報に基づき、ユーザー（オペレータ）が判断する。ユーザーは、そのカートリッジのメンテナンス履歴やカートリッジ使用開始時点からの各項目の累計値を参考にして、カートリッジの廃棄処分の可否を判断する。例えば、メンテナンス時期の警告が頻繁になされるようになったものや、各項目の累計値がかなり大きくなっているものなどは、廃棄処分の対象になる。各項目の累計値等を基にして制御部が、廃棄処分を提案するように構成しても良い。【００５１】  カートリッジが再使用可能な場合、メンテナンス作業が終わった後、ユーザーは、部品実装機の入力部を介してカートリッジの記憶部にメンテナンス履歴情報を書き込む（Ｓ５２０）。この履歴情報は、図６に示すように、作業の日時や、原因、作業者のＩＤなどからなる。また、各カートリッジの使用開始時点からの各項目のカウントアップ値の累計も記録される。これらは、後のメンテナンス作業の適格性やカートリッジの廃棄時期の判断に利用できる。すなわち、作業者は必要に応じていつでもそのカートリッジを識別できるので、正確な情報に基づき的確なメンテナンスが可能である。なお、カートリッジを支持してメンテナンス作業を行うメンテナンス用のカートリッジ支持台に、メンテナンス履歴情報を入力する入力部と入力した情報をカートリッジの送受信部２９に対して送信する通信ポートを設けるようにして、カートリッジ支持台で行われたメンテナンス作業の終了後に、カートリッジ支持台からメンテナンス履歴情報を入力して書込み記憶部２３に書き込めるようにしてもよい。【００５２】  ユーザーは、カートリッジをメンテナンスした場合、制御基板１５にある１ＢｉｔスライドＳＷ２１を反対側に設定させ、カートリッジに電源を再投入させる。ＣＰＵ２２は“以前のスライドＳＷ２１の状態”を記憶するシステムがあり、現在と以前の設定が違うと判断した場合、カウント数をリセット（クリア）する（Ｓ５０４）。【００５３】  すなわち、メンテナンス完了後にユーザーがカウンタリセット部（ＳＷ）２１を操作した場合、メンテナンス作業に対応したいずれかの項目のカウンタ値がリセットされる。これは、メンテナンス履歴の書込みに連動して自動的にＳＷがリセットされるようにしても良い。メンテナンス作業に対応しない項目のカウンタ値��ついては、引き続き前の値が保持される。【００５４】  一方、カートリッジが再使用不可能な場合、廃棄処分がなされる（Ｓ５２０）。制御部の記憶部１２６には、カートリッジの廃棄に関する情報も記録される。【００５５】  このように、作業者は必要に応じていつでもそのカートリッジを識別できるので、正確な情報に基づき的確なメンテナンスが可能である。【００５６】  以上説明したように、本発明の実施形態によれば、メンテナンス用テープ化電子部品送り装置の支持装置がテープ化電子部品送り装置のメンテナンス履歴情報を入力する入力部を備えているので、入力されたメンテナンス履歴情報を利用して、後のメンテナンス作業の適格性を判断することができる。その上、メンテナンス用テープ化電子部品送り装置の支持装置にてテープ化電子部品送り装置のメンテナンスを行うとともに、その場ですぐにメンテナンス履歴情報を入力することができる。
【図面の簡単な説明】
【００５７】
【図１】本発明の実施例が適用される電子部品組み立て機の要部を示す外観図である。
【図２】本発明の一実施例になるテープ化電子部品送り装置（カートリッジ）の側面図である。
【図３】図１の電子部品組み立て機における制御装置の機能を示すブロック図である。
【図４】図２のカートリッジに設けられた制御装置の機能を示すブロック図である。
【図５】本発明の一実施例による「定期的なメンテナンス」と「必要に応じたメンテナンス」に関する情報の、生成、表示、警告の動作を説明するフローチャートである。
【図６】テープカートリッジの記憶素子に記録される保持メンテナンス要因（Ａ〜Ｘ）と、各メンテナンス要因の警告条件の関係等を与えるデータの一例を示すテーブルである。
【符号の説明】
【００５８】  １…吸着位置、２…スプロケット、５…テープ送り駆動部（第１のモーター）、７…フィルム回収駆動部（第２のモーター）、８…フィルム回収駆動監視部（テンション監視センサ）、１０…テープ送り監視部、１２…フィルム巻き取りギヤ、１３…フィルム収納箱、１５…制御基板、１６…テープリール、１７…脱着検出部、１８…ラチェット、１９…テープ送り駆動監視部（リンク棒動作監視センサ）、２０…表示器、２１…カウンタリセット部（スライドＳＷ）、２２…演算処理部（ＣＰＵ）、２３…記憶部、２４…リンク棒、２５…電子部品のフィルム、２６…軸、２７…テンションバー、２８…カム、２９…送受信部（通信ポート）、１００…カートリッジ、１１０…電子部品組み立て機、１１１…Ｘレール、１１２…Ｙレール、１１３…基板搬送コンベア、１１４…基板、１１５…部品装着ヘッド、１１６…ディスプレイ、１２１…制御部、１２２…入力部、１２３…表示部、１２４…通信部、１２５…カートリッジ送受信部、１２６…記憶部、１２７…生産実行部
【図１】
2008270850.tif 000003
【図２】
2008270850.tif 000004
【図３】
2008270850.tif 000005
【図４】
2008270850.tif 000006
【図５】
2008270850.tif 000007
【図６】
2008270850.tif 000008